(57)【特許請求の範囲】
【請求項１】
ケース内にコイル、磁石及び振動板を有する振動発生部を収納してなる骨伝導イヤホンであって、
該ケースが外耳道に挿入されるケース前部と、前記振動発生部を収納するケース胴部とを備え、
前記振動発生部が、前記振動板の後面側に配置され中心部が該振動板の中心部に連結される磁性体の板状基台の後面側に、円柱磁石と円筒磁石を同軸に設け、前記円柱磁石外面と円筒磁石内面との間の隙間に対し、ケース胴部の後ろ側から前側に向けてコイルを突設してなり、
前記ケース前部を、前方に向けて次第に縮径する縮径テーパー部と、同一径で前方に延び、外周部にイヤーパッドが取り付けられる先端部とから構成し、
前記振動発生部の振動板の端部を、分割構成されている前記ケース前部と前記ケース胴部の互いに嵌合する嵌合部に挟み込むことで前記ケース前部の内壁部に接続し、
ケース胴部の外径（Ｄ１）を１３ｍｍφ未満に設定するとともに、
ケース胴部の前記振動発生部が収納される空間の前後軸方向に沿った寸法（Ｌ１）を、前記外径寸法よりも小さい寸法に設定して、該空間を偏平な空間に設定してなり、
前記振動発生部から生じる振動が、前記振動板を通じてケース前部に伝達され、外耳道に接触する縮径テーパー部から骨導音として伝達されるとともに、ケース前部内部の前部空間は振動板が組まれた状態で密閉状態となることを特徴とするテレビ番組出演用イヤホン。
【請求項２】
前記ケースにおける、前記ケース前部を除く残りの部分の外形を、前後軸方向に沿った長さ寸法（Ｌ２）が前記ケース胴部の外径寸法（Ｄ１）とほぼ同じ又はそれよりも小さい寸法となる偏平な形状に設定してなる請求項１記載のテレビ番組出演用イヤホン。
【請求項３】
前記ケースがアルミニウム製である請求項１又は２記載のテレビ番組出演用イヤホン。
【請求項４】
再生周波数帯域がほぼ３００Ｈｚ〜７０００Ｈｚの範囲内となる請求項１〜３の何れか１項に記載のテレビ番組出演用イヤホン。
【発明の詳細な説明】
【技術分野】
【０００１】
本発明は、ニュースキャスターやアナウンサー、コメンテーター、ゲスト、現地中継のリポーターなど、テレビ番組の出演者が使用するのに好適な骨伝導イヤホンに関する。
【背景技術】
【０００２】
テレビの報道番組や情報番組でニュースその他の情報を紹介しながら司会するキャスターやアナウンサーは、マイクとともに編集責任者の指令音などを聴くためのイヤホンを装着している。従来、この種のテレビ番組出演者用のイヤホンは、映像で目立たないようにレシーバーから延びる透明なスパイラルチューブの先端に該チューブに連通する音響伝達空間を有する透明な小型のイヤホンが提供されており、レシーバーから発せられる音響信号が前記チューブ並びにイヤホンを通じて使用者の外耳動内に出力される。この小型イヤホンは、スパイラルチューブを通じて提供された音響信号を外部に漏らすことがないように左右何れかの耳に密着するように軟質の樹脂により専用の形に作成されている。
【０００３】
しかしながら、番組出演者が使用するマイクは高感度なマイクであり、編集責任者の指令音がイヤホンから漏れてマイクで拾い、そのままＯＮ−ＡＩＲ（番組放送）されることがあり、ハウリングの問題も含めて放送現場として大変苦慮しているのが現実である。特に、高校野球の甲子園球場スタンドからのリポーターが使用する場合など騒音が大きい状況下では指令音の出力も大きくせざるを得ず、漏れの量もそれに伴って多くなってしまう。更に、イヤホンが上記のとおり左右何れかの耳専用に形成されていると、キャスター等は個人的に使いやすい方向のものを使用するが、番組条件下（下手側、上手側）によっては本来右側の耳に付けるべきであるところ左側に装着せざる得ない場合があり、見た目（画面映り）が悪くなるという不都合もあった。
【発明の概要】
【発明が解決しようとする課題】
【０００４】
そこで、本発明が前述の状況に鑑み、解決しようとするところは、騒音の大きな場所であっても編集責任者の指令音などをクリアに聴くことができるとともに、音漏れがなく、高感度マイクで拾ってしまうという問題を解消でき、更にはコンパクトで見た目も気にならないテレビ番組出演者用のイヤホンを提供する点にある。
【課題を解決するための手段】
【０００５】
本発明は、前述の課題解決のために、ケース内にコイル、磁石及び振動板を有する振動発生部を収納してなる骨伝導イヤホンであって、該ケースが外耳道に挿入されるケース前部と、前記振動発生部を収納するケース胴部とを備え、前記振動発生部が、前記振動板の後面側に配置され中心部が該振動板の中心部に連結される磁性体の板状基台の後面側に、円柱磁石と円筒磁石を同軸に設け、前記円柱磁石外面と円筒磁石内面との間の隙間に対し、ケース胴部の後ろ側から前側に向けてコイルを突設してなり、前記ケース前部を、前方に向けて次第に縮径する縮径テーパー部と、同一径で前方に延び、外周部にイヤーパッドが取り付けられる先端部とから構成し、前記振動発生部の振動板の端部を、分割構成されている前記ケース前部と前記ケース胴部の互いに嵌合する嵌合部に挟み込むことで前記ケース前部の内壁部に接続し、ケース胴部の外径（Ｄ１）を１３ｍｍφ未満に設定するとともに、ケース胴部の前記振動発生部が収納される空間の前後軸方向に沿った寸法（Ｌ１）を、前記外径寸法よりも小さい寸法に設定して、該空間を偏平な空間に設定してなり、前記振動発生部から生じる振動が、前記振動板を通じてケース前部に伝達され、外耳道に接触する縮径テーパー部から骨導音として伝達されるとともに、ケース前部内部の前部空間は振動板が組まれた状態で密閉状態となることを特徴とするテレビ番組出演用イヤホンを構成した。
【０００６】
ここで、前記ケースにおける、前記ケース前部を除く残りの部分の外形を、前後軸方向に沿った長さ寸法（Ｌ２）が前記ケース胴部の外径寸法（Ｄ１）とほぼ同じ又はそれよりも小さい寸法となる偏平な形状に設定したものが好ましい。
【０００８】
更に、前記ケースがアルミニウム製であることが好ましい。
【０００９】
また、再生周波数帯域（周波数特性）がほぼ３００Ｈｚ〜７０００Ｈｚの範囲内となるものが好ましい。
【発明の効果】
【００１０】
以上にしてなる本願発明のテレビ番組出演用イヤホンは、ケース内にコイル、磁石及び振動板を有する振動発生部を収納してなる骨伝導イヤホンであるので、音響漏れが殆ど無く、高感度マイクが指令音を拾ってしまうといったことやハウリングの不都合を解消できる。したがってテレビ編集者側としては、マイクとの関係で音声操作がしやすくなる。また、ケースが外耳道に挿入されるケース前部と、振動発生部を収納するケース胴部とを備え、振動発生部の振動板の端部をケース前部の内壁部に接続しているので、外耳道に挿入される部分を振動板で直接振動させ、耳の内耳の耳小骨（じしょうこつ）に近い所の外耳で振動させるので、振動率を抑えつつも騒音下でも聞き取りやすい構造となる。したがって、音漏れ防止効果は勿論のこと、使用者に振動による違和感を与えることもなくなる。
【００１１】
さらに、ケース胴部の外径を１３ｍｍφ未満に設定するとともに、ケース胴部の前記振動発生部が収納される空間の前後軸方向に沿った寸法を、前記外径寸法よりも小さい寸法に設定して、該空間を偏平な空間に設定してなるので、非常にコンパクトでテレビ画面上装着している事が見えない形状となり、画面映りも良くなる。また、左右のいずれの耳にも挿着できる構造となり、番組条件によって適切な方向に装着して画面映りが悪くなることを防止できる。
【００１２】
また、前記ケースにおける、前記ケース前部を除く残りの部分の外形を、前後軸方向に沿った長さ寸法が前記ケース胴部の外径寸法とほぼ同じ又はそれよりも小さい寸法となる偏平な形状に設定してなるので、ケースが耳介から外部に出ないコンパクトな構造が維持され、画面映りは確実に良くなる。
【００１３】
また、前記振動発生部が、中心部が前記振動板の中心部に連結される磁性体の板状基台の後面側に、円柱磁石と円筒磁石を同軸に設け、前記円柱磁石外面と円筒磁石内面との間の隙間に対し、ケース胴部の後ろ側から前側に向けてコイルを突設してなるので、上記コンパクトな構造において効率よく振動を発生させることができる。
【００１４】
また、前記ケースがアルミニウム製であるので、クリアな音質となり、振動率を抑えつつ騒音下でも更に聞き取りやすい構造となる。また、合成樹脂製とするものに比べてもケースからの音漏れを防止する効果も高い。
【００１５】
また、再生周波数帯域がほぼ３００Ｈｚ〜７０００Ｈｚの範囲内となるので、キャスター等の出演者に最低限必要なコミュニケーションに最適な周波数帯域に絞られており、従来のイヤホンに比べてかなり聴き易く、不要な音漏れも未然に防止することができる。
【図面の簡単な説明】
【００１６】
【図１】本発明の代表的実施形態に係るテレビ番組出演用イヤホンを示す縦断面図。
【図２】同じくテレビ番組出演用イヤホンを示す分解図。
【発明を実施するための形態】
【００１７】
次に、本発明の実施形態を添付図面に基づき詳細に説明する。
【００１８】
本発明に係るテレビ番組出演用イヤホン１は、図１に示すように、ケース２内にコイル４、磁石５（５１、５２）及び振動板６を有する振動発生部３が収納された骨伝導イヤホンであり、ケース２は、外耳道に挿入されるケース前部２１と、前記振動発生部３を収納するケース胴部２２とより構成されている。本例では、このケース胴部の後ろ側に、更にコイル４に音源からの図示しない信号線を接続するための配線空間Ｓ３を有するケース後部２３が設けられている。符号２３ｃは配線を内部に挿通するための孔である。尚、以下の説明では、イヤホン１のケースを別途分割構成された上記ケース前部２１、ケース胴部２２及びケース後部２３を組み付けて構成した例について説明するが、これら一部又は全体を一体で形成したものでも勿論よい。
【００１９】
ケース胴部２２の外径寸法Ｄ１は、１３ｍｍφ未満に設定されており、ケース胴部２２の前記振動発生部３が収納される空間Ｓ１の前後軸方向に沿った寸法Ｌ１は、外径寸法Ｄ１よりも小さく設定され、該空間Ｓ１は偏平な空間に設定されている。そして、この偏平な空間Ｓ１内に上記した振動発生部３がコンパクトに収納されている。
【００２０】
振動発生部３は、ステンレス製の振動板６の中心部６ｂに連結される磁性体（鉄製）の板状基台７の後面７０側に、円柱磁石５１と円筒磁石５２を内外に同軸状に設け、前記円柱磁石５１外面と円筒磁石５２内面との間の隙間に対して、ケース胴部２２の後ろ側から前側に向けてコイル４を突設したものである。これにより磁石５１、５２の双方がコイル４に作用し、コンパクト構造でありつつもほぼ３００Ｈｚ〜７０００Ｈｚの範囲内の再生周波数帯域を実現している。
【００２１】
振動板６の外周側の端部６ａは、ケース前部２１の内壁部に接続されている。より具体的には、分割構成されているケース前部２１とケース胴部２２の互いに嵌合する嵌合部２１ａ，２２ａに前記端部６ａを挟み込むことで固定されている。これによりケースの組み付けの際に振動板６及びこれに固定されている磁石５１、５２等の部材を容易に組み込むことができる。
【００２２】
ケース前部２１は、前方に向けて次第に縮径する縮径テーパー部２５と、同一径で前方に延び、外周部に後述のイヤーパッド９が取り付けられる先端部２４とから構成されている。振動発生部３から生じる振動は、振動板６を通じて主にケース前部２１に伝達されて外耳道に接触する縮径テーパー部２５から骨導音として伝達される。ケース前部２１内部の前部空間Ｓ２は振動板６が組まれた状態で密閉状態となり、音漏れが生じることはない。
【００２３】
板状基台７は、略円板状の本体の中央部に前方に突出した連結部７１を有し、該連結部７１を振動板６の中心部６ｂに固定して当該中心部６ｂを前後方向に振動させるように構成されている。板状基台７の後面７０に設けられる磁石５１、５２は前後方向に略同じ寸法を有し、各磁石の後端面には、それぞれ全面を覆う磁性体（鉄製）のプレート５３、５４が被着されている。
【００２４】
これら磁石５１、５２間の隙間に配されるコイル４は、ケース胴部２２の後ろ側に配置されたプリント基板８の前面に突設されている。プリント基板８は、円板状であり、その外周側の端部８ａがケース後部２３の内壁部に固定されている。より具体的には、分割構成されているケース胴部２２とケース後部２３の互いに嵌合する嵌合部２２ｂ，２３ａに前記端部８ａを挟み込むことで固定されている。これにより、前述の振動板６、板状基台７及び磁石５１、５２の場合と同様、ケースの組み付けの際にコイル４を有するプリント基板８を容易に組み込むことができる。
【００２５】
コイル４を構成している導線端部４１、４２は、プリント基板の通孔８ｃを通じて後ろ側のケース後部２３の配線空間Ｓ３に導出され、ケース後部２３の通孔２３ｃを通じて外部から導入される図示しない信号線（ケーブル）に接続される。本例では、ケース胴部２２とケース後部２３を合わせた長さ寸法Ｌ２は、ケース胴部の外径寸法Ｄ１とほぼ同じ形状か、それよりも小さくなる偏平な形状に設定されている。これによりＬ２も１３ｍｍ未満となり、使用状態でケース後部２３が耳介から外部に突出して目立つことがないコンパクトな構造となる。
【００２６】
ケース２を構成するケース前部２１、ケース胴部２２、ケース後部２３は、いずれもアルミニウム製であり、クリアな音質とすることができ、且つ音漏れを防止できるものとされている。ただし、その他の金属製、合成樹脂製、セラミック製等の素材からなるものでもよく、組み合わせてもよく、ケース２の一部、例えばケース後部２３のみを合成樹脂製とし、他を金属製とすること等も勿論可能である。
【００２７】
以上、本発明の実施形態について説明したが、本発明はこうした実施例に何ら限定されるものではなく、本発明の要旨を逸脱しない範囲において種々なる形態で実施し得ることは勿論である。
【符号の説明】
【００２８】
１  イヤホン
２  ケース
３  振動発生部
４  コイル
５  磁石
６  振動板
６ａ  端部
６ｂ  中心部
７  板状基台
８  プリント基板
８ａ  端部
８ｃ  通孔
９  イヤーパッド
２１  ケース前部
２１ａ，２２ａ  嵌合部
２２  ケース胴部
２２ｂ，２３ａ  嵌合部
２３  ケース後部
２３ｃ  通孔
２４  先端部
２５  縮径テーパー部
４１  導線端部
５１  磁石
５２  磁石
５３，５４  プレート
７０  後面
７１  連結部
Ｓ１  空間
Ｓ２  前部空間
Ｓ３  配線空間
【図１】
0005625928.tif 000002
【図２】
0005625928.tif 000003